(57)【要約】      （修正有）【課題】脱毛管理器を提供する。【解決手段】脱毛管理器は、正面板１１４ａと背面板１１４ｂとを含むヘッド１１４と、ヘッドに連設されて把持可能に形成された取っ手１１２とに区分されるハウジング１１０と、ヘッドのフレームに沿って突設され、頭皮に刺激を加える電極棒１２０と、電極棒と締結され、ハウジングのヘッド内に設けられ、振動を加える振動器１３２が結合された電極棒締結板１３０と、ハウジングに装着されたものであって、電極棒及び振動器の駆動を調節する制御ボタン１４０と、ヘッドの正面板で電極棒より放射状の内側に結合された光源１５０と、を含む。光線療法及び電気療法を同時に行って、血液循環が促進され、細胞の再生力が増加し、細胞が活性化されるために脱毛治療用だけではなく、予防用としても使うことができる。また、電極棒が光を反射するために、電気療法と光源とによる効果を極大化し、かつ光の死角地帯を最小化する。【選択図】図１
2013236901.tif 000002
【特許請求の範囲】
【請求項１】
正面板と背面板とを含むヘッドと、前記ヘッドに連設されて把持可能に形成された取っ手とに区分されるハウジングと、
前記ハウジングのヘッドの前記正面に設けられるものであって、ヘッドのフレームに沿って突設され、頭皮に刺激を加える電極棒と、
前記電極棒と締結され、前記ハウジングの前記ヘッド内に設けられ、振動を加える振動器が結合された電極棒締結板と、
前記ハウジングに装着されたものであって、前記電極棒及び前記振動器の駆動を調節する制御ボタンと、
前記ヘッドの前記正面板で前記電極棒より放射状の内側に結合された光源と、
を含む脱毛管理器。
【請求項２】
前記光源は、３８０ｎｍないし４６０ｎｍ、及び６００ｎｍないし７００ｎｍの波長帯であることを特徴とする請求項１に記載の脱毛管理器。
【請求項３】
前記ヘッドには、前記光源が複数個備えられ、
前記光源は、前記ヘッドの中心にＬＤを備え、前記ＬＤを中心に放射状の外側にＬＥＤが備えられることを特徴とする請求項１に記載の脱毛管理器。
【請求項４】
前記電極棒は、単極型であることを特徴とする請求項１に記載の脱毛管理器。
【請求項５】
前記ハウジングには、前記取っ手の周りに沿って前記電極棒と電気的に連結された接地用帯が外部に露出されるように締結されることを特徴とする請求項４に記載の脱毛管理器。
【請求項６】
前記電極棒は、両極型であることを特徴とする請求項１に記載の脱毛管理器。
【請求項７】
前記電極棒は、陽極と陰極とに区分され、
前記陽極と前記陰極は、互いに対向する位置に形成されることを特徴とする請求項６に記載の脱毛管理器。
【請求項８】
前記電極棒が同じチャネルによってのみ電流が通じるように、前記電極棒には、複数個のチャネルに電極が配され、
各チャネル間に前記電極棒を通過する電流が互いに交差するように、それぞれの前記チャネルは、前記電極棒に交互に配されることを特徴とする請求項６に記載の脱毛管理器。
【請求項９】
前記電極棒には、１ｋＨｚないし１００ｋＨｚの電流が供給されることを特徴とする請求項１に記載の脱毛管理器。
【請求項１０】
前記電極棒は、光が反射されるように表面処理されたことを特徴とする請求項１に記載の脱毛管理器。
【請求項１１】
前記ヘッドは、楕円形であり、
前記電極棒は、楕円形のヘッド状に沿って前記光源の放射状の外側に一列に複数個配されたことを特徴とする請求項１に記載の脱毛管理器。
【請求項１２】
前記ヘッドの正面板は、可撓性であることを特徴とする請求項１に記載の脱毛管理器。
【請求項１３】
電極棒の末端が、トルマリンで形成されたことを特徴とする請求項１に記載の脱毛管理器。
【発明の詳細な説明】
【技術分野】
【０００１】
本発明は、脱毛管理器に関し、より詳細には、光線療法及び電気療法を使って血液循環を促進させることによって、細胞を再生させ、活性化させうる脱毛管理器に関する。
【背景技術】
【０００２】
国際頭皮毛髪専門家協会の資料によれば、現代人は、遺伝的な要因以外にも後天的に多種の脱毛要因に苦しんでいる。また、脱毛現象が男性にのみ限っていた過去に比べて、最近、ホルモンの不均衡と貧血、ダイエット、出産などによって、男性とはその態様が異なるが、女性の脱毛も高まりつつある。
【０００３】
従来、このような問題点を解決するために、ホルモン治療や薬物治療などを使ったが、ステロイド剤などを脱毛部位に注射する薬物治療の場合、薬物に対するアレルギー反応、または他の持病によって薬物投入が可能か否かによって、適用が不可能な状況が発生する。それだけではなく、このような薬物治療の場合、根本的な治療方法を提供しないだけではなく、持続的な治療によってコスト高となって、脱毛症疾患者の経済的な負担が増加する。そして、予防が不可能であって、疾患が発生する前には、このような治療方法を使うことができなかった。
【０００４】
したがって、最近、別途の薬物投入なしに細胞を再生させ、活性化させることによって、脱毛を予防し、かつ発毛を円滑にさせる脱毛管理器の必要性が台頭しつつある。
【発明の概要】
【発明が解決しようとする課題】
【０００５】
本発明が解決しようとする課題は、光線療法及び電気療法などを同時に行って、血液循環を促進させることによって、細胞を再生させ、活性化させ、脱毛を予防することができる脱毛管理器を提供するところにある。
【課題を解決するための手段】
【０００６】
本発明が解決しようとする課題は、正面板と背面板とを含むヘッドと、前記ヘッドに連設されて把持可能に形成された取っ手とに区分されるハウジングと、前記ハウジングのヘッドの前記正面に設けられるものであって、ヘッドのフレームに沿って突設され、頭皮に刺激を加える電極棒と、前記電極棒と締結され、前記ハウジングの前記ヘッド内に設けられ、振動を加える振動器が結合された電極棒締結板と、前記ハウジングに装着されたものであって、前記電極棒及び前記振動器の駆動を調節する制御ボタンと、前記ヘッドの前記正面板で前記電極棒より放射状の内側に結合された光源と、を含む脱毛管理器を提供するところにある。
【０００７】
本発明の一実施例によれば、前記光源は、３８０ｎｍないし４６０ｎｍ、及び６００ｎｍないし７００ｎｍの波長帯であることが望ましい。
【０００８】
また、前記ヘッドには、前記光源が複数個備えられ、前記光源は、前記ヘッドの中心にＬＤを備え、前記ＬＤを中心に放射状の外側にＬＥＤが備えられることが望ましい。
【０００９】
また、前記電極棒は、単極型であることが望ましい。
【００１０】
また、前記ハウジングには、前記取っ手の周りに沿って前記電極棒と電気的に連結された接地用帯が外部に露出されるように締結されることが望ましい。
【００１１】
また、前記電極棒は、両極型であることが望ましい。
【００１２】
また、前記電極棒は、陽極と陰極とに区分され、前記陽極と前記陰極は、互いに対向する位置に形成されることが望ましい。
【００１３】
また、前記電極棒が同じチャネルによってのみ電流が通じるように、前記電極棒には、複数個のチャネルに電極が配されるが、各チャネル間に前記電極棒を通過する電流が互いに交差するように、それぞれの前記チャネルは、前記電極棒に交互に配されることが望ましい。
【００１４】
また、前記電極棒には、１ｋＨｚないし１００ｋＨｚの電流が供給されることが望ましい。
【００１５】
また、前記電極棒は、光が反射されるように表面処理されたことが望ましい。
【００１６】
また、前記ヘッドは、楕円形であり、前記電極棒は、楕円形のヘッド状に沿って前記光源の放射状の外側に一列に複数個配されたことが望ましい。
【００１７】
また、前記ヘッドの正面板は、可撓性であることが望ましい。
【００１８】
また、電極棒の末端が、トルマリンで形成されたことが望ましい。
【発明の効果】
【００１９】
本発明によれば、光線療法及び電気療法を同時に行って、血液循環が促進されると、細胞の再生力が増加し、細胞が活性化されるために、脱毛がこれ以上進まないように予防し、かつ脱毛部位に発毛が円滑に進行しうる頭皮環境を提供することができる。また、電極棒が光を反射することができる形状に形成されるために、光源を供給すると、電気療法と光源とによる効果を極大化し、かつ光の死角地帯を最小化し、用途によって電流の周波数を調節することができ、脱毛治療用だけではなく、予防用としても使うことができる。
【図面の簡単な説明】
【００２０】
【図１】本発明の一実施例による脱毛管理器の斜視図である。
【図２】本発明の一実施例による脱毛管理器の正面図である。
【発明を実施するための形態】
【００２１】
以下、望ましい実施例を挙げて本発明をさらに詳細に説明する。しかし、これら実施例は、本発明をより具体的に説明するためのものであって、本発明の範囲が、これによって容易に実施され、このような変形や変更は、いずれも本発明の領域に含まれる。
【００２２】
脱毛は、正常に毛髪が存在しなければならない部位に毛髪がない状態を言い、一般的に、頭皮の硬毛が抜けることを意味する。硬毛は、色がなく、太さが細い軟毛とは異なって、抜ける場合、美容上の問題を起こしうる。西洋人に比べて、毛髪密度が低い韓国人の場合、５万〜７万本程度の髪の毛があり、一日に約５０〜７０本までの髪の毛が抜けることは正常な現象である。したがって、眠った後や髪を洗うときに抜ける髪の毛の数が１００本を超える場合、病的な原因によるものである可能性が高い。脱毛は、臨床的に傷跡が形成されるものと、形成されない２種に分けられ、傷跡が形成される脱毛は毛嚢が破壊されるので、毛髪が再生されない一方、傷跡が形成されない脱毛は毛嚢が保持されるので、症状部位が消えた後に毛髪が再生される。傷跡が形成されない非瘢痕性脱毛としては、遺伝性アンドロゲン性脱毛（禿頭）、円形脱毛、かび感染による頭部白癬、休止期脱毛、抜毛癖、毛髪生成障害疾患などがあり、傷跡が形成される瘢痕性脱毛としては、ループスによる脱毛、禿髪性毛嚢炎、毛孔性扁平苔癬、火傷及び外傷による脱毛などがある。脱毛症のうちから頻度が最も高いものは、円形脱毛症と禿頭とであり、これらは、いずれも傷跡が発生しない。脱毛疾患には、頻度が高い禿頭（男性型脱毛）、女性型脱毛、円形脱毛症、休止期脱毛症などがある。
【００２３】
このような脱毛の原因は多様であるが、円形脱毛症は、自己免疫疾患と類推され、休止期脱毛症は、内分泌疾患、栄養欠乏、薬物使用、出産、発熱、手術など激しい身体的、精神的ストレスの後に発生する一時的な脱毛であって、毛髪の一部が生長期間をすべて満たすことができず、休止期状態に履行して脱落されて発生する。
【００２４】
本発明は、このようなさまざまな脱毛原因のうち、頭皮の血液循環障害による脱毛を防止すると同時に、脱毛治療用薬物の吸収を助けて脱毛を防止させる。すなわち、毛髪の毛根細胞が生長期、退行期、休止期の循環サイクルのうち、元の生長期間を満たすようにし、発毛を容易にさせると同時に、光源１５０の照射及び電気的刺激によって細胞を活性化させ、血管を拡張させて血液循環を改善して、損傷した細胞組織が正常に戻るようにする。
【００２５】
図１は、本発明の一実施例による脱毛管理器の斜視図が示されたものであって、図１の（ａ）は、脱毛管理器の背面を示す分解斜視図であり、図１の（ｂ）は、脱毛管理器の正面を示す斜視図である。
【００２６】
本発明による脱毛管理器は、図１の（ａ）及び図１の（ｂ）に示したように、正面板１１４ａと背面板１１４ｂとを含むヘッド１１４と、前記ヘッド１１４に連設されて把持可能に形成された取っ手１１２とに区分されるハウジング１１０と、前記ハウジング１１０のヘッド１１４の前記正面板１１４ａに設けられるものであって、正面板１１４ａのフレームに沿って突設され、頭皮に刺激を加える電極棒１２０と、前記電極棒１２０と締結され、前記ハウジング１１０の前記ヘッド１１４内に設けられ、振動を加える振動器１３２が結合された電極棒締結板１３０と、前記ハウジング１１０に装着されたものであって、前記電極棒１２０及び前記振動器１３２の駆動を調節する制御ボタン１４０と、前記ヘッド１１４の前記正面板１１４ａで前記電極棒１２０より放射状の内側に結合された光源１５０と、を含む。
【００２７】
脱毛管理器は、ハウジング１１０の取っ手１１２に形成された制御ボタン１４０を利用することによって、電源をオン／オフするか、光源１５０をつけるか、電極棒１２０に印加される電流の周波数または電流の印加有無などを調節することができる。また電極棒１２０の振動有無も選択することができる。楕円形状のヘッド１１４は、正面板１１４ａと背面板１１４ｂとに区分されるが、ヘッド１１４の正面板１１４ａには、電極棒１２０が貫設され、ヘッド１１４の背面板１１４ｂには、取っ手１１２が連設される。ここで、電極棒１２０は、ヘッド１１４の正面板１１４ａフレームに沿って一列に備えられる。頭皮と直接接触される電極棒１２０の末端は、曲面に形成されていて、頭皮が尖った面によって掻かれることを防止する。
【００２８】
ハウジング１１０内に備えられる電極棒締結板１３０は、振動器１３２と接した状態を保持するために、振動器１３２が駆動されれば、電極棒締結板１３０によって電極棒締結板１３０に結合された電極棒１２０に振動が伝達される。したがって、頭皮をマッサージしながら頭皮の血行を円滑に進行させ、頭皮に営養液を塗布する場合、電極棒１２０の振動によって、営養液を頭皮に円滑に吸収させうる。
【００２９】
ここで、ヘッド１１４は、特に、その形状を楕円形にすることが望ましい。すなわち、曲面である頭皮に適用されるとき、耳の後部や首の後ろに容易に適用されるようにする。特に、楕円形であるヘッド１１４の長軸が脱毛管理器の上下方向と一致するようにヘッド１１４が形成されることが望ましい。
【００３０】
また、ヘッド１１４が曲面の頭皮に適用されるために、適用位置によって曲率が変わっても、電極棒１２０を頭皮と一定に接触させると同時に、光源１５０との距離を一定にするように、ヘッド１１４の正面板１１４ａを曲げ可能な可撓性材質で形成しうる。すなわち、頭蓋骨が突出した位置では、正面板１１４ａを凹状に備えることによって、正面板１１４ａに設けられた光源１５０が頭皮との離隔距離が遠くなるようにできる。また、延髄のように頭蓋骨が凹状の位置では、正面板１１４ａを凸状に備えることによって、頭皮との隔離距離が近くなるようにできる。したがって、実際では、一定範囲内で光源１５０と頭皮とを一定の距離を保持させうる。
【００３１】
ここで、電極棒１２０は、ヘッド１１４の正面板１１４ａフレームに沿って一列に配される。したがって、光源１５０から電極棒１２０に至るまで光が頭皮に照射されるのに障害物となるものをなくす。また、電極棒１２０は、光が反射されるように表面処理することによって、光の照射角度による光の死角地帯の発生を防止し、電極棒１２０で光を反射することによって、同一時間の間に光源１５０が光を照射すると、光の照射効果を極大化することができる。特に、電極棒１２０をチタンコーティングすることによって、電極棒１２０が頭皮に直接触れる際、皮膚にアレルギーの発生を防止することができる。
【００３２】
ここで、電極棒１２０によって電流が出力される方法は、大きく単極型と両極型とがある。単極型は、電極棒１２０が単一電極で形成され、両極型は、電極棒１２０が陰極と陽極とで形成されると見られる。
【００３３】
まず、電極棒１２０が単極型である場合、前記ハウジング１１０には、前記取っ手１１２周りに沿って前記電極棒１２０と電気的に連結された接地用帯が外部に露出されるように締結される。したがって、接地用帯が人体と接しながら頭皮を通じて人体に沿って流れた電気が手の平を経て接地用帯と電気的に結合される。例えば、電極棒１２０に陰電極を帯電させ、接地用帯に陽電極を帯電させれば、電極棒１２０に接触されている頭皮を通じて人体に沿って流れる電気は、手の平を経て取っ手１１２にある陽電極に戻る。このような原理によって作動する脱毛管理器を陰電位を有する化粧品または有効薬物などが塗布された頭皮に適用すれば、電極棒１２０に帯電された陰電極によって、反発力によって陰電子の流れに沿って頭皮内部に塗布された物質が強制に投入される。また、反対の場合は、投入された陰電荷を帯びる薬物や老廃物を外に排出させる。
【００３４】
このような作用は、低周波、中周波、高周波波長帯の電流が印加される場合にも使われる。例えば、１Ｈｚないし１ｋＨｚの低周波波長帯の電流の場合、電極棒１２０をいずれも短絡させ、低周波電流を流せば、電極が電極棒１２０と接地用帯とに分けられる。このような方式で接地用帯に電流を加えれば、電極棒１２０が密着されている部位全体に電流が流れながら筋肉を刺激するので、電極棒１２０と密着された位置に筋収縮が発生する。このような単極方式で１ｋＨｚないし１００ｋＨｚの中周波波長帯の電流を流せば、筋収縮作用以外にも深部発熱を起こすことによって、血行が旺盛になる。深部発熱は、皮膚組職を構成する水分子が周波数によって迅速に振動しながら、互いに摩擦を起こしながら発生する。１００ｋＨｚ以上の高周波電流を流せば、深部発熱が発生する深さがさらに深くなる。
【００３５】
図２には、本発明の一実施例による脱毛管理器のヘッド１１４の正面図が示されている。
【００３６】
また、電極棒１２０は、前述した単極型以外にも、両極型で形成されうる。すなわち、電極棒１２０を陽極と陰極との両極で備えることができる。このような場合に、別途に接地用帯が備えられる必要がない。両極型で電極棒１２０が備えられる場合、電極棒１２０は、２つの極に分けられるために、電極棒１２０の間で電流が流れて頭皮を刺激する。この際、電極棒１２０は、楕円形に形成されたヘッド１１４の長軸と一致するヘッド１１４の中心線Ｃを基準に半分に分けて、左側と右側とに分離された電極棒１２０の間でのみ電流が流れるようにする。
【００３７】
ここで、陽極と陰極は、図２に示したように、互いに対向する位置に備えられるが、その距離を一定間隔以上を保持させることによって、２つの電極の間で流れる電流による刺激が狭い面積に限るか、針で刺すような疼痛を誘発せず、円滑に筋収縮が起こるようにする。したがって、このような電流の刺激によって細胞が活性化され、血液を円滑に循環させる。この際、電極棒１２０は、１つのチャネルで対向する位置に陽極と陰極とをそれぞれ形成させることもできるが、電極棒１２０の間に位置した頭皮で電流による刺激が発生する面積を最大にするために、陽極と陰極とが発生するチャネルを２つ以上備えることができる。ここで、チャネルは、同じチャネル間の陽極と陰極との間でのみ電流が流れるようにする。すなわち、本発明の一実施例のように、電極棒１２０に第１チャネルＣＨ１と第２チャネルＣＨ２とが備えられる場合、第１チャネルの陰極ＣＨ１−と第２チャネルの陽極ＣＨ２＋、または第１チャネルの陽極ＣＨ１＋と第２チャネルの陰極ＣＨ２−との間では、電流が通じず、単に第１チャネルの陽極ＣＨ１＋と陰極ＣＨ１−、第２チャネルの陽極ＣＨ２＋と陰極ＣＨ２−との間でのみそれぞれ電流が流れるようにする。
【００３８】
したがって、単一チャネルである場合に比べて、電流が流れる面積が広くなって、頭皮を均一にマッサージすることができる。特に、陽極と陰極とが互いに対向する位置に備えると同時に、チャネルが交互に位置するように電極棒１２０に配置することによって、電流が通じる電極棒１２０間の距離が一定距離以上になるようにできる。すなわち、電流が通じる電極棒１２０間の距離を一定距離以上にすることによって、極小部位にのみ電流が流れるか、刺すような疼痛が頭皮に伝達されることを防止する。例えば、第１チャネルＣＨ１と第２チャネルＣＨ２とで備えられる場合、第１チャネルＣＨ１と連結された電極棒１２０の両側には、第２チャネルＣＨ２と連結された電極棒１２０が備えられる。すなわち、第１チャネルＣＨ１、第２チャネルＣＨ２、第１チャネルＣＨ１、第２チャネルＣＨ２の順序のように電極棒１２０に連結されるチャネルを交互に配置する。
【００３９】
一例として、図面に示したように、電極棒１２０にチャネルを交互に配置させながら、ヘッド１１４の中心を基準に陽極と陰極とを対向する位置に形成させることによって、同一チャネルの間で電極棒１２０を通過する電流の経路を見れば、各チャネル間の電流の移動経路が互いに交差するように配されることが分かる。したがって、電気が通じる電極棒１２０間の距離を一定距離以上に配置し、かつ電流によって筋収縮が発生する面積を増加させることによって、脱毛防止効果を極大化することができる。電極棒１２０を両極型で備える時、やはり電極棒１２０に低周波、中周波、及び高周波の電流を印加することができる。特に、本発明による脱毛管理器は、電極棒１２０に１ｋＨｚないし１００ｋＨｚの中周波の電流を印加することによって、頭皮に深部発熱を発生させると同時に、筋収縮を発生させうる。
【００４０】
ここで、電極棒１２０が２つのチャネルで備えられると記載したが、２つ以上のチャネルで備えられることもある。
【００４１】
また、ヘッド１１４の正面板１１４ａには、光源１５０が結合されるが、正面板１１４ａに結合される光源１５０としては、ＬＤ１５２とＬＥＤ１５４とが使われる。本発明の一実施例では、光源１５０として前記ヘッド１１４の中心にＬＤ１５２を備え、ＬＤ１５２を中心に放射状の外側にＬＥＤ１５４が備えられる。特に、楕円形ヘッド１１４の中心線Ｃ方向に沿って放射状の外側にＬＥＤ１５４が備えられる。ＬＤ１５２の場合、ＬＥＤ１５４に比べて強い光を出すために、ＬＥＤ１５４によって予熱された頭皮がＬＤ１５２の作用によってさらに円滑に皮膚を再生させるようにできる。この際、光源１５０は、３８０ｎｍないし４６０ｎｍ、及び６００ｎｍないし７００ｎｍの波長帯のうち、何れか１つ以上の波長帯に照射されうる。３８０ｎｍないし４６０ｎｍ波長帯の光の場合、ニキビ桿菌の代謝物質であるポルフィリンを励起させて、ニキビ桿菌を死滅させる効果があるために、脂漏性頭皮毛孔に発生する皮脂を減らし、毛孔内の炎症を抑制して脱毛を治療するか、予防することができる。また、６００ｎｍないし７００ｎｍの波長帯の光の場合、皮膚に浸透すれば、温熱効果及び抗炎効果があるだけではなく、皮膚を再生させて活性化させる効果がある。また、毛細管細胞を生成させて、血液循環を助けて頭皮及び毛孔に酸素を供給し、老廃物を除去する機能を果す。したがって、本発明の一実施例による脱毛管理器に装着されるＬＥＤ１５４とＬＤ１５２とから発散される光の波長を調節することによって、炎症抑制だけではなく、再生を助けて脱毛を防止する。
【００４２】
また、頭皮と接触する電極棒１２０の末端一部または全体をトルマリンで形成して、電極棒１２０に電流を印加していない状態で光源１５０のみ作用させるか、振動のみ備えさせる過程でも、頭皮の老廃物を除去させると同時に、頭皮の血行が円滑になるように助けることができる。
【００４３】
以上、望ましい実施例を挙げて本発明を詳細に説明したが、これら実施例は、本発明をより具体的に説明するためのものであって、本発明の範囲が、これによって制限されないということは、当業者に自明である。
【産業上の利用可能性】
【００４４】
本発明は、脱毛管理器に関連する分野に適用されうる。
【符号の説明】
【００４５】
１１０：ハウジング
１１２：取っ手
１１４：ヘッド
１１４ａ：正面板
１１４ｂ：背面板
１２０：電極棒
１２０ｄ：接地用帯
１３０：電極棒締結板
１３２：振動器
１４０：制御ボタン
１５０：光源
１５２：ＬＤ
１５４：ＬＥＤ
ＣＨ１：第１チャネル
ＣＨ１＋：（第１チャネルの）陽極
ＣＨ１−：（第１チャネルの）陰極
ＣＨ２：第２チャネル
ＣＨ２＋：（第２チャネルの）陽極
ＣＨ２−：（第２チャネルの）陰極
【図１】
2013236901.tif 000003
【図２】
2013236901.tif 000004